(57)【要約】【課題】容易に組み付けることができ、外観の良い美容器を提供する。【解決手段】美容器は、ハンドルコア部１０、及びハンドルコア部１０の一方の端部を覆う筒部７０を有するハンドル１００と、ハンドル１００のハンドルコア部１０の他方の端部側から延びる一対の支持軸３０と、各支持軸３０の周りに回転自在に支持された一対の回転体５０とを備えており、ハンドルコア部１０の筒部７０に覆われた部分は、筒部７０内において筒部７０の芯材として機能する。【選択図】図１
2018082777.tif 000002
【特許請求の範囲】
【請求項１】
ハンドルコア部、及び前記ハンドルコア部の一方の端部を覆う筒部を有するハンドルと、
前記ハンドルの前記ハンドルコア部の他方の端部側から延びる一対の支持軸と、
各前記支持軸の周りに回転自在に支持された一対の回転体と、
を備えており、
前記ハンドルコア部の前記筒部に覆われた部分は、前記筒部内において前記筒部の芯材として機能することを特徴とする美容器。
【請求項２】
前記ハンドルコア部は係止部を有しており、
前記筒部は、前記ハンドルコア部を覆った状態で、前記ハンドルコア部の前記係止部に係止して前記ハンドルコア部の抜け止めをする被係止部を有していることを特徴とする請求項１記載の美容器。
【請求項３】
前記ハンドルコア部は電源部を有しており、
前記回転体と前記筒部とは、導電性を有し、前記電源部に電気的に導通していることを特徴とする請求項１又は２記載の美容器。
【請求項４】
前記ハンドルコア部を覆った前記筒部に係止する外れ止め部を有し、前記ハンドルコア部の表面に取り付けられた外装部材を備えていることを特徴とする請求項１乃至３のいずれか１項記載の美容器。
【発明の詳細な説明】
【技術分野】
【０００１】
本発明は美容器に関するものである。
【背景技術】
【０００２】
特許文献１は従来の美容器を開示している。この美容器はハンドルと一対の回転体とを備えている。ハンドルは先端が二股に分かれた略Ｙ字状である。ハンドルは、ベース体と、ベース体の外周を被覆する一対のカバー体とから構成されている。ベース体は外周縁全体にリング状のパッキンが一体化されている。一対のカバー体は、一方のカバー体の開口内周縁をベース体のパッキンに圧接接合し、他方のカバー体を一方のカバー体の外周縁に嵌め込むことによって、ベース体に被覆装着される。回転体は、略球状体であり、ハンドルの二股に分かれた夫々の先端から延びる先広がり状の一対の支持軸に回転自在に支持されている。この美容器は、カバー体によって外観を良好にしつつ、ハンドル内部への水の浸入を阻止することができる。また、この美容器は、回転体を皮膚に当てて転がすと、マッサージ効果等の美容効果を付与することができる。
【先行技術文献】
【特許文献】
【０００３】
【特許文献１】特開２０１３−１０３０８５号公報
【発明の概要】
【発明が解決しようとする課題】
【０００４】
しかし、特許文献１の美容器は、一対のカバー体をベース体に被覆装着する際、一方のカバー体の開口内周縁をベース体のパッキンに圧接接合したり、他方のカバー体を一方のカバー体の外周縁に嵌め込んだりする手間を要する。また、この美容器は、一対のカバー体同士を嵌合して取り付けるため、その繋ぎ目がハンドルの伸びる方向に沿って直線状に表れる。
【０００５】
本発明は上記従来の事情に鑑みてなされたものであって、容易に組み付けることができ、外観の良い美容器を提供することを解決すべき課題としている。
【課題を解決するための手段】
【０００６】
本発明の美容器は、ハンドルコア部、及び前記ハンドルコア部の一方の端部を覆う筒部を有するハンドルと、
前記ハンドルの前記ハンドルコア部の他方の端部側から延びる一対の支持軸と、
各前記支持軸の周りに回転自在に支持された一対の回転体と、
を備えており、
前記ハンドルコア部の前記筒部に覆われた部分は、前記筒部内において前記筒部の芯材として機能することを特徴とする。
【０００７】
この美容器は、ハンドルがハンドルコア部及び筒部を有しており、筒部はハンドルコア部の一方の端部を覆っている。そして、組み付けの際には、筒部に対して、ハンドルコア部の一方の端部からハンドルコア部を挿入するだけで、ハンドルコア部と筒部とを組み付けることができる。このため、この美容器はハンドルを容易に組み立てることができる。また、この美容器は、筒状体である筒部を有しているので、繋ぎ目がなく、外観を良好にすることができる。さらに、この美容器は、筒部によってハンドルコア部を覆うため、強度の向上が図られる。
【０００８】
したがって、本発明の美容器は、容易に組み付けることができ、外観が良好である。
【図面の簡単な説明】
【０００９】
【図１】実施例１の美容器を示す分解斜視図である。
【図２】実施例１のハンドルコア部と、ハンドルコア部にインサート成形される支持軸等を示す斜視図である。
【図３】実施例１の板金部材が取り付けられたハンドルコア部を示す斜視図である。
【図４】実施例１の美容器を斜め前方から見た斜視図である。
【図５】実施例１の美容器の側面図である。
【図６】実施例１の美容器の正面図である。
【図７】図６の矢視Ａ−Ａ断面図である。
【図８】図７の要部拡大図である。
【図９】図６の矢視Ｂ−Ｂ断面図である。
【図１０】図６の矢視Ｃ−Ｃ断面図である。
【図１１】図６の矢視Ｄ−Ｄ断面図である。
【図１２】図６の矢視Ｅ−Ｅ断面図である。
【図１３】実施例１の美容器を顔に使用する状態を示し、（Ａ）は回転体を顎から耳の下までの間を往復移動させる説明図であり、（Ｂ）は回転体を唇の端から頬骨までの間を往復移動させる説明図である。
【図１４】実施例１の美容器を手に使用する状態を示し、（Ａ）は回転体を親指の付け根の根元から指先までの間を往復移動させる説明図であり、（Ｂ）は回転体を手の親指と人差し指との谷間で往復移動させる説明図であり、（Ｃ）は回転体を手のひらの小指側の側面部を往復移動させる説明図である。
【発明を実施するための形態】
【００１０】
本発明における好ましい実施の形態を説明する。
【００１１】
本発明の美容器において、前記ハンドルコア部は係止部を有しており、前記筒部は、前記ハンドルコア部を覆った状態で、前記ハンドルコア部の前記係止部に係止して前記ハンドルコア部の抜け止めをする被係止部を有し得る。この場合、この美容器は、筒部にハンドルコア部を挿入すると、筒部からハンドルコア部が抜け止めされる。このように、この美容器は筒部からハンドルコア部が抜け止めされた状態に容易に組み付けることができる。
【００１２】
本発明の美容器において、前記ハンドルコア部は電源部を有しており、前記回転体と前記筒部とは、導電性を有し、前記電源部に電気的に導通し得る。この場合、この美容器の筒部を把持して、顔等の皮膚に回転体を当てると、筒部と回転体との間に身体を介在させた通電回路が形成される。このため、この美容器は、回転体から微弱電流が皮膚へ流れ、皮膚への刺激の増進によりマッサージ効果等の美容効果を一層高めることができる。
【００１３】
本発明の美容器は、前記ハンドルコア部を覆った前記筒部に係止する外れ止め部を有し、前記ハンドルコア部の表面に取り付けられた外装部材を備え得る。この場合、この美容器は筒部にハンドルコア部を挿入すると、外装部材がハンドルコア部から外れ止めされる。このように、この美容器はハンドルコア部に外装部材を外れ止めした状態に容易に組み付けることができる。
【００１４】
次に、本発明の美容器を具体化した実施例１について、図面を参照しつつ説明する。
【００１５】
＜実施例１＞
実施例１の美容器は、図１に示すように、ハンドル１００、一対の支持軸３０、一対の回転体５０、及び外装部材であるレンズカバー９０を備えている。ハンドル１００は、ハンドルコア部１０及び筒部７０を有している。
ハンドルコア部１０はＡＢＳ樹脂製である。ハンドルコア部１０は、一方の端部（図１において、左側端部）（以下、前端部という。）において二股に分かれた一対の二股部１１と、各二股部１１の分岐点から後方に向けて一直線上に延びる本体部１３とを有している。ここで、前後は、ハンドルコア部１０の一方の端部側（一対の二股部１１が形成されている側）を前とし、ハンドルコア部１０の他方の端部側を後とする（以下同じ。）。
【００１６】
ハンドルコア部１０は、図６に示すように、一対の二股部１１を上にして本体部１３が鉛直方向に延びた状態における正面視（以下、「正面視」という。）において、本体部１３の前後方向に伸びる中心線Ｘに対して一対の二股部１１が等しい角度でそれぞれ左右方向に分岐している。また、ハンドルコア部１０は、図５に示すように、一対の二股部１１を上にして本体部１３が鉛直方向に延びた状態における側面視（以下、「側面視」という。）において、本体部１３の前後方向に伸びる中心線Ｘに対して一対の二股部１１が背面側（図５において右側）に同じ形状で湾曲しながら斜め上方に向けて傾斜して延びている。
【００１７】
本体部１３は、図１〜図３に示すように、露出部１３Ａと挿入部１３Ｂとから構成されている。露出部１３Ａは二股部１１に連続して後方に向けて延びている。挿入部１３Ｂは、露出部１３Ａに連続して後方に向けて延びている。この挿入部１３Ｂは後述するハンドル１００の筒部７０内に挿入される。すなわち、ハンドルコア部１０は、後端部側である本体部１３の挿入部１３Ｂが筒部７０に覆われる。この挿入部１３Ｂは、筒部７０内において、筒部７０の芯材として機能する。露出部１３Ａの後端縁であって挿入部１３Ｂの前端縁、つまり、露出部１３Ａとハンドルコア部１０を挿入した筒部７０との境界Ｙは、図４〜図６に示すように、正面（図４及び図６において手前側の面）の左右中央部が最も後方（図４〜図６において下方）に位置し、背面（図４及び図６において図示されていない裏側の面）の左右中央部が最も前方（図５において上方）に位置するように、ハンドルコア部１０の外周面を斜めに一周するように形成されている。つまり、ハンドルコア部１０の本体部１３の露出部１３Ａと、筒部７０との境界Ｙは、図５に示すように、側面視において、正面から背面に向けて斜め上方に直線状に傾斜している。
【００１８】
ハンドルコア部１０は、図１及び図２に示すように、露出部１３Ａの正面側にレンズカバー９０が嵌め込まれる凹部１４が形成されている。この凹部１４の開口形状はレンズカバー９０の外形と略等しい。ハンドルコア部１０は収納部１５が設けられている。収納部１５は露出部１３Ａの凹部１４内に開口している。収納部１５の開口形状はハンドルコア部１０の前後方向に長い略長方形状である。
【００１９】
ハンドルコア部１０は電源部２０を有している。電源部２０は収納部１５に収納されている。電源部２０は、図１、図７及び図８に示すように、太陽光発電パネル２１、端子押さえ部材２２、第１端子２４、及び第２端子２７を有している。電源部２０は、これら太陽光発電パネル２１、端子押さえ部材２２、第１端子２４、及び第２端子２７を一体に組上げてからハンドルコア部１０に取り付けられるため、組み付けが容易である。
【００２０】
太陽光発電パネル２１は長方形状で且つプレート状である。端子押さえ部材２２は、図８に示すように、中央部２２Ａ、前板部２２Ｂ、及び後板部２２Ｃを有している。中央部２２Ａは、外径の異なる２個の円盤が重なった形状であり、表面側（図８において左側面側）の外径が大きく裏面側の外径が小さい。中央部２２Ａの表面側の外径は太陽光発電パネル２１の短辺の長さよりも僅かに大きい。外径の小さい裏面側の中央部２２Ａは外周に第１パッキンＰ１が外嵌される。また、中央部２２Ａは裏面の中央に開口したねじ穴２２Ｄが設けられている。前板部２２Ｂは、中央部２２Ａの前側（図８において上側）に連続しており、長方形状で且つプレート状である。前板部２２Ｂは短辺の長さが太陽光発電パネル２１の短辺の長さよりも僅かに小さい。後板部２２Ｃは、中央部２２Ａの後側（図８において下側）に連続しており、前板部２２Ｂよりも長い長方形状で且つ前板部２２Ｂよりも薄いプレート状である。後板部２２Ｃは、短辺の長さが前板部２２Ｂの短辺の長さと等しく、太陽光発電パネル２１の短辺の長さよりも僅かに小さい。端子押さえ部材２２は、前板部２２Ｂ、中央部２２Ａ、及び後板部２２Ｃが並んだ長手方向が太陽光発電パネル２１の長手方向に沿うように、太陽光発電パネル２１の裏面（図８において右側面）に両面テープ２３によって貼り付けられている。
【００２１】
第１端子２４は、図８に示すように、第１接続部２５と、第１押さえ部２６とを有している。第１接続部２５は折り曲げられて太陽光発電パネル２１の前端面（図８において上端面）と太陽光発電パネル２１の前端部の裏面に接触している。第１端子２４は太陽光発電パネル２１の前端部の裏面で第１接続部２５が電気的に導通している。第１押さえ部２６は、立上り片２６Ａ、第１傾斜片２６Ｂ、及び第２傾斜片２６Ｃとから構成されている。立上り片２６Ａは第１接続部２５の後端（図８において下端）に連続している。この立上り片２６Ａは端子押さえ部材２２の前板部２２Ｂより前方（図８において上方）で、太陽光発電パネル２１の裏面から前板部２２Ｂの裏面を超えた位置まで延びている。第１傾斜片２６Ｂは立上り片２６Ａの先端（図８において右端）に連続している。この第１傾斜片２６Ｂは立上り片２６Ａの先端から後方（図８において下方）に向けて前板部２２Ｂの裏面に近づく方向に傾斜している。第２傾斜片２６Ｃは第１傾斜片２６Ｂの後端（図８において下端）に連続している。第１傾斜片２６Ｂと第２傾斜片２６Ｃとの境界部２６Ｘが端子押さえ部材２２の前板部２２Ｂの裏面に当接する。第２傾斜片２６Ｃは、後方に向けて前板部２２Ｂの裏面から離れる方向に傾斜し、後端部２６Ｚが前板部２２Ｂの裏面側に向けて僅かに折曲している。
【００２２】
第１端子２４は表面にニッケルメッキをしたリン青銅板から形成されている。この第１端子２４は、電源部２０を収納部１５に収納して固定すると、第１傾斜片２６Ｂと第２傾斜片２６Ｃとの境界部２６Ｘが前板部２２Ｂの裏面に当接し、立上り片２６Ａと第１傾斜片２６Ｂとの境界部２６Ｙ、及び第２傾斜片２６Ｃの後端部２６Ｚが収納部１５に露出した後述する通電軸３１の後端部の外表面に当接する。この際、第１端子２４は、弾性変形した部分で反発力が発生し、その反発力が作用して、立上り片２６Ａと第１傾斜片２６Ｂとの境界部２６Ｙ及び第２傾斜片２６Ｃの後端部２６Ｚを収納部１５に露出した通電軸３１の外表面に確実に当接させることができる。これによって、第１端子２４と通電軸３１とが電気的に確実に導通する。
【００２３】
第２端子２７は、図８に示すように、第２接続部２８と、第２押さえ部２９とを有している。第２接続部２８は折り曲げられて太陽光発電パネル２１の後端面（図８において下端面）と太陽光発電パネル２１の後端部の裏面に接触している。第２端子２７は太陽光発電パネル２１の後端部の裏面で第２接続部２８が電気的に導通している。第２押さえ部２９は第２接続部２８の前端（図８において上端）に連続している。この第２押さえ部２９は、太陽光発電パネル２１の後端部の裏面から離れ、端子押さえ部材２２の後板部２２Ｃの裏面に沿って前方に延びている。第２押さえ部２９は、凸部２９Ａと凹部２９Ｂとが形成されている。凸部２９Ａは、電源部２０を収納部１５に収納して固定すると、ハンドルコア部１０にねじ止めされ、収納部１５の底面に露出する後述する通電用ねじＢ１の先端面に当接するように、通電用ねじＢ１の先端面側に膨らんでいる。凹部２９Ｂは、電源部２０を収納部１５に収納して固定すると、凸部２９Ａよりも前側（図８において上側）で端子押さえ部材２２の後板部２２Ｃの裏面に当接するように、後板部２２Ｃの裏面側に膨らんでいる。
【００２４】
第２端子２７は表面にニッケルメッキをしたリン青銅板から形成されている。この第２端子２７は、電源部２０を収納部１５に収納して固定すると、凸部２９Ａが通電用ねじＢ１の先端面に当接し、凹部２９Ｂが端子押さえ部材２２の後板部２２Ｃの裏面に当接し、第２押さえ部２９の前端２９Ｃが収納部１５の底面に当接する。この際、第２端子２７は、弾性変形した部分で反発力が発生し、その反発力が作用して、凸部２９Ａを収納部１５の底面に露出する通電用ねじＢ１の先端面に確実に当接させることができる。これによって、第２端子２７と通電用ねじＢ１とが電気的に確実に導通する。
【００２５】
収納部１５は、電源部２０が収納された状態で、端子押さえ部材２２の中央部２２Ａに設けられたねじ穴２２Ｄに対応する位置の底部に貫通孔１５Ａが形成されている。ハンドルコア部１０の背面において、貫通孔１５Ａが開口している部分は本体部１３の挿入部１３Ｂである。このため、筒部７０にハンドルコア部１０を挿入すると、貫通孔１５Ａが開口している部分は、筒部７０によって被覆される。収納部１５に収納された電源部２０は、ハンドルコア部１０の背面から貫通孔１５Ａに挿入された固定ねじＢ２が端子押さえ部材２２の中央部２２Ａに設けられたねじ穴２２Ｄにねじ込まれることによって固定される。このように、電源部２０を収納部１５に収納して固定すると、端子押さえ部材２２の外径の小さい裏面側の中央部２２Ａの外周に外嵌された第１パッキンＰ１によって、貫通孔１５Ａから収納部１５に水が浸入することを防止することができる。
【００２６】
本体部１３の挿入部１３Ｂは、図１〜図３に示すように、後方に向けて徐々に細くなっている。挿入部１３Ｂは、前端部１Ａ、中間部１Ｂ、及び後端部１Ｃから構成されている。前端部１Ａは、図３に示すように、本体部１３の正面側に露出部１３Ａが存在する部分であり、背面にステンレス製の板金部材４０が取り付けられている。中間部１Ｂは、図１１に示すように、前後方向に延びた４個の溝部５が形成されている。これら溝部５は、後述する筒部７０の内周面に形成された前後方向に延びた４個の位置決めリブ７３に対応する位置に形成されている。後端部１Ｃは、図１２に示すように、外周面に前後方向に延びる４個のリブ６が形成されている。これら４個のリブ６は後端部１Ｃの外周面の周方向に等間隔に形成されている。
【００２７】
挿入部１３Ｂの前端部１Ａに取り付けられた板金部材４０は、図３及び図８に示すように、取付部４１、当接部４３、及び一対の係止部４５を有している。
取付部４１は、本体部１３の挿入部１３Ｂの前端部１Ａに取り付けられた状態で、前後方向に長い略長方形状である。取付部４１は、取付孔４１Ａと、２個の位置決め孔４１Ｂが前後方向に並んで形成されている。取付孔４１Ａは取付部４１の前端部（図８において、上端部）に形成されている。この取付孔４１Ａは第２パッキンＰ２を軸部に外嵌した通電用ねじＢ１が挿通する。板金部材４０は通電用ねじＢ１を挿入部１３Ｂの前端部１Ａに形成されたねじ孔１３Ｃにねじ込むことによって挿入部１３Ｂの前端部１Ａに取り付けられる。通電用ねじＢ１をねじ孔１３Ｃにねじ込んで板金部材４０が挿入部１３Ｂの前端部１Ａに取り付けられると、通電用ねじＢ１の頭部が板金部材４０の取付部４１の裏面に接触する。これによって、通電用ねじＢ１と板金部材４０とが電気的に導通する。また、通電用ねじＢ１の軸部に外嵌された第２パッキンＰ２によって、ねじ孔１３Ｃから収納部１５に水が浸入することを防止する。２個の位置決め孔４１Ｂは取付孔４１Ａよりも後方に形成されている。これら位置決め孔４１Ｂは、挿入部１３Ｂの前端部１Ａに前後方向に並んで突出した２個のボス１３Ｄを夫々挿通する。２個のボス１３Ｄを２個の位置決め孔４１Ｂに挿通させることによって、板金部材４０を正しい姿勢で挿入部１３Ｂの前端部１Ａに取り付けることができる。
【００２８】
当接部４３は取付部４１の後端（図８において下端）に連続している。この当接部４３は傾斜片４３Ａと折曲片４３Ｂとを有している。傾斜片４３Ａは後方外側に向けて傾斜している。折曲片４３Ｂは傾斜片４３Ａの後端に連続して後方内側に向けて傾斜している。傾斜片４３Ａと折曲片４３Ｂの境界部４３Ｘ付近が挿入部１３Ｂの前端部１Ａの背面よりも外側に突出している。このため、筒部７０にハンドルコア部１０を挿入すると、傾斜片４３Ａと折曲片４３Ｂとの境界部４３Ｘが筒部７０の内周面に当接する。この際、板金部材４０の取付部４１から当接部４３にかけて弾性変形した部分で反発力が発生し、その反発力が作用して、傾斜片４３Ａと折曲片４３Ｂとの境界部４３Ｘを筒部７０の内周面に確実に当接させることができる。これによって、板金部材４０と後述するようにクロムメッキがされた筒部７０とが電気的に確実に導通する。
【００２９】
一対の係止部４５の夫々は、図３に示すように、連結部４５Ａと係止部本体４５Ｂとを有している。各連結部４５Ａは取付部４１の前端部の左右端に連続している。これら連結部４５Ａは、板金部材４０が挿入部１３Ｂの前端部１Ａに取り付けられた状態で、取付部４１から本体部１３の正面側に延びてから屈曲して左右方向に広がっている。各係止部本体４５Ｂは各連結部４５Ａの左右方向に広がった部分の前端に連続している。これら係止部本体４５Ｂは、前方外側に傾斜しており、先端部が前方内側に折り曲げられている。一対の係止部４５の夫々は、図９に示すように、筒部７０にハンドルコア部１０を挿入すると、筒部７０の内面に設けられた一対の凸部７１（被係止部）に係止部本体４５Ｂの先端部が係止する。このように、筒部７０にハンドルコア部１０を挿入すれば、筒部７０からハンドルコア部１０を抜け止めすることができる。
【００３０】
一対の支持軸３０は、図１及び図３に示すように、ハンドルコア部１０の一対の二股部１１の夫々の先端部（ハンドルコア部１０の前端部）から突出し、先広がり状に延びている。一対の支持軸３０は、正面視において、ハンドルコア部１０の中心線Ｘに対して等しい角度でそれぞれ先広がり状に延びている。また、一対の支持軸３０は、正面視において、一対の二股部１１よりもハンドルコア部１０の中心線Ｘに対して大きな角度で左右方向に広がるように先広がり状に延びている。
【００３１】
各支持軸３０は、図１〜図３に示すように、基端部３０Ａと先端部３０Ｂとを有している。基端部３０Ａは円柱状である。先端部３０Ｂは、基端部３０Ａの径よりも小さい径の円柱状であり、基端部３０Ａと同軸上に基端部３０Ａの先端側に連続して延びている。先端部３０Ｂは、先端に後述する与圧Ｃリング５９を嵌合するように周方向に一周する溝部３が形成されている。各支持軸３０は先端部３０Ｂの径と略等しい外径の円柱状の通電軸３１が基端部３０Ａの後端に連続して一体的に形成されている。各通電軸３１は中間部の２か所で屈曲している。各支持軸３０と各通電軸３１はステンレス製である。
【００３２】
各通電軸３１は、図１０に示すように、ニトリルゴム製のＯリング３２が挿通されている。また、各通電軸３１はＡＢＳ樹脂製のＯリングカバー３３が挿通されている。各Ｏリングカバー３３は、図２及び図１０に示すように、筒状であり、貫通孔３３Ａの内径が２段階に変化している。つまり、各Ｏリングカバー３３は、図１０に示すように、貫通孔３３Ａの先端側の内径が支持軸３０の基端部３０Ａの外径よりも僅かに大きく、その部分の貫通孔３３Ａ内にＯリング３２と支持軸３０の基端部３０Ａの一部を収納している。また、各Ｏリングカバー３３は貫通孔３３Ａの後端側の内径が通電軸３１の外形よりも僅かに大きく通電軸３１を挿通している。
【００３３】
支持軸３０、通電軸３１、Ｏリング３２、及びＯリングカバー３３は、通電軸３１にＯリング３２を挿通した状態で、通電軸３１にＯリングカバー３３を挿通し、Ｏリングカバー３３の貫通孔３３Ａの先端部３０Ｂに支持軸３０の基端部３０Ａの一部を収納する。すると、支持軸３０の基端部３０ＡとＯリングカバー３３の先端側の貫通孔３３Ａとで形成された空間内にＯリング３２が収納された状態になる。この状態で、図１０に示すように、支持軸３０の基端部３０Ａの先端部３０Ｂがハンドルコア部１０の二股部１１の先端面に露出し、かつ、通電軸３１の後端部の外表面の一部がハンドルコア部１０の露出部１３Ａに設けられた収納部１５内に露出するように、ハンドルコア部１０を成形する金型内に配置し、ＡＢＳ樹脂を金型内に注入してハンドルコア部１０を成形する。つまり、支持軸３０、通電軸３１、Ｏリング３２、及びＯリングカバー３３は、インサート成形によって、ハンドルコア部１０に一体化されている。通電軸３１に挿通したＯリング３２によって、支持軸３０の基端部３０Ａが露出しているハンドルコア部１０の二股部１１の先端面から支持軸３０及び通電軸３１の外周面を伝って収納部１５に水が浸入することを防止することができる。また、支持軸３０、通電軸３１、Ｏリング３２、及びＯリングカバー３３をインサート成形するために設けられた通電軸３１の後端部の外表面が露出する凹部１６にシリコーンゴム製の防水栓４を嵌め込むことによって、この凹部１６から通電軸３１の外周面を伝って収納部１５に水が浸入することを防止している。
【００３４】
一対の回転体５０は、図１０に示すように、外殻部５１と、上側コア部５３、及び下側コア部５５を有している。外殻部５１は外形が略球状の中空体である。外殻部５１はハンドルコア部１０の先端部３０Ｂ及び支持軸３０を挿入する開口が形成されている。外殻部５１は、ＡＢＳ樹脂製であり、表裏面全体にプラチナメッキをしている。外殻部５１は外周面にダイヤカットを施している。上側コア部５３が外殻部５１内の先端側に収納され、上側コア部５３の後端面に先端面が当接するように下側コア部５５が外殻部５１内に収納されている。上側コア部５３は後述するベアリングホルダ５８の先端部３０Ｂを収納する凹部６３Ａが形成されている。下側コア部５５はベアリングホルダ５８を挿通する貫通孔５５Ａが形成されている。下側コア部５５は貫通孔５５Ａの内周面から内側に突出する係止部５５Ｂが設けられている。下側コア部５５の係止部５５Ｂは、前面にベアリングホルダ５８の外周面に設けられた爪部５８Ａが係止し、後面にベアリングホルダ５８の後端部に設けられた鍔部５８Ｂが係止する。下側コア部５５は後端部の表面が外殻部５１の裏面に当接している。上側コア部５３と下側コア部５５はＡＢＳ樹脂製であり表面全体にプラチナメッキをしている。このように、外殻部５１、上側コア部５３、及び下側コア部５５の夫々がプラチナメッキされており、外殻部５１と下側コア部５５が当接し、下側コア部５５と上側コア部５３が当接しているため、外殻部５１、上側コア部５３、及び下側コア部５５は電気的に導通している。
【００３５】
各回転体５０は、図１及び図１０に示すように、一対のベアリング５７が組み込まれたベアリングホルダ５８を介して支持軸３０に回転自在に支持されている。ベアリングホルダ５８は略筒状である。ベアリングホルダ５８は外周面に突出した一対の爪部５８Ａを有している。この一対の爪部５８Ａは、ベアリングホルダ５８の外周面の１８０度ずれた位置に設けられている。ベアリングホルダ５８は後端部の外周縁から外側に延びる鍔部５８Ｂを有している。
【００３６】
ベアリングホルダ５８は前端部と後端部に一対のベアリング５７を組み込んでいる。ベアリングホルダ５８はベアリング５７を同一中心軸上に組み込んでいる。ベアリングホルダ５８は、支持軸３０の先端部３０Ｂを挿通し、支持軸３０の先端が前端面から突出している。ベアリングホルダ５８の前端面から突出した支持軸３０の先端に形成された溝部３に与圧Ｃリング５９が嵌合し、ベアリングホルダ５８は支持軸３０に回転自在に取り付けられている。ベアリングホルダ５８とベアリング５７は導電性を有するポリアセタール樹脂製である。このため、ベアリングホルダ５８とベアリング５７は電気的に導通している。また、ベアリング５７は支持軸３０の外周面に当接しているため、ベアリングホルダ５８、ベアリング５７、及び支持軸３０は電気的に導通している。与圧Ｃリング５９はポリアセタール樹脂製である。
【００３７】
回転体５０は外殻部５１の開口からベアリングホルダ５８を回転自在に取り付けられた支持軸３０を挿入する。すると、ベアリングホルダ５８の外周面に突出した一対の爪部５８Ａは、下側コア部５５の係止部５５Ｂを通過する際、ベアリングホルダ５８内に押し込まれ、下側コア部５５の係止部５５Ｂを通過すると、ベアリングホルダ５８の外周面に突出した状態になり、下側コア部５５の係止部５５Ｂの前面に係止する。また、ベアリングホルダ５８の爪部５８Ａが下側コア部５５の係止部５５Ｂの前面に係止するとともに、下側コア部５５の係止部５５Ｂの後面にベアリングホルダ５８の鍔部５８Ｂが係止する。このようにして、一対の回転体５０は一対の支持軸３０にベアリングホルダ５８と共に回転自在に支持される。この状態で、ベアリングホルダ５８の外周面に回転体５０の上側コア部５３及び下側コア部５５が当接する。これによって、ベアリングホルダ５８と回転体５０とが電気的に導通する。このように、この美容器は、太陽光発電パネル２１、第１端子２４、通電軸３１、支持軸３０、ベアリング５７、ベアリングホルダ５８、及び回転体５０が電気的に導通している。
【００３８】
筒部７０は、図１に示すように、前端側が開口し、後方に向けて徐々に細くなり、後端部が丸みを帯びて閉鎖した筒状である。筒部７０に覆われたハンドルコア部１０の本体部１３の挿入部１３Ｂは、筒部７０の内部空間の略全体を占有している。筒部７０は、挿入部１３Ｂが芯材として機能することにより強度の向上が図られている。筒部７０の前端部は、背面の左右中央部が最も前側（図５の側面視において上側）に位置し、正面の左右中央部が最も後側（図５の側面視において下側）に位置するように斜めに傾斜している。筒部７０は、図１及び図９に示すよう、前端部の２か所に、筒部７０にハンドルコア部１０を挿入すると、板金部材４０の一対の係止部４５の夫々が係止する一対の凸部７１（被係止部）が設けられている。このため、この美容器は、筒部７０にハンドルコア部１０の本体部１３の挿入部１３Ｂを挿入すると、筒部７０からハンドルコア部１０が抜け止めされる。このように、この美容器は、筒部７０からハンドルコア部１０が抜け止めされた状態に、ハンドルコア部１０と筒部７０とを容易に組み付けることができる。筒部７０は、ハンドルコア部１０の本体部１３の挿入部１３Ｂの背面であって、電源部２０をハンドルコア部１０に固定した固定ねじＢ２の頭部が露出している辺りに塗布した接着剤によってハンドルコア部１０と固定される。
【００３９】
筒部７０は、図１１に示すように、ハンドルコア部１０の本体部１３の挿入部１３Ｂが挿入される部分の内周面に前後方向に延びた４個の位置決めリブ７３が形成されている。これら４個の位置決めリブ７３がハンドルコア部１０の本体部１３の挿入部１３Ｂの中間部１Ｂに形成された溝部５と嵌合しつつ、ハンドルコア部１０の本体部１３の挿入部１３Ｂが筒部７０に挿入される。これによって、筒部７０は前端部の開口縁がハンドルコア部１０の本体部１３の露出部１３Ａの後端縁と隙間なく当接するように装着される。また、筒部７０をハンドルコア部１０に挿入すると、図１２に示すように、ハンドルコア部１０の本体部１３の挿入部１３Ｂの後端部３Ｃに形成された４個のリブ６の外側面が筒部７０の内周面に当接する。これによって、ハンドルコア部１０を筒部７０内にしっかりと固定することができる。
【００４０】
筒部７０は、ＡＢＳ樹脂製であり、外周面の全体、及び内周面の前側（少なくとも前端部の開口縁から筒部７０をハンドルコア部１０に装着した状態で板金部材４０の当接部４３の傾斜片４３Ａと折曲片４３Ｂとの境界部４３Ｘが当接する部分よりも後方まで）にクロムメッキをしている。このため、筒部７０にハンドルコア部１０を挿入すると、板金部材４０と筒部７０とは電気的に導通する。このように、この美容器は、太陽光発電パネル２１、第２端子２７、通電用ねじＢ１、板金部材４０、及び筒部７０が電気的に導通している。
【００４１】
レンズカバー９０は、図１、及び図４〜図６に示すように、ハンドルコア部１０の本体部１３の露出部１３Ａの正面に開口する収納部１５を覆うように、露出部１３Ａの正面に形成された凹部１４に嵌め込まれ、露出部１３Ａの正面の左右中央部に取り付けられている。レンズカバー９０は、前後方向に長く、前端部がハンドルコア部１０の二股部１１の間に入り込むように伸びており、後端部の表面が筒部７０の正面の前端縁に当接している。レンズカバー９０は太陽光発電パネル２１に重なる部分が前後方向に長い長方形状で透明に形成されている。レンズカバー９０はアクリル樹脂製である。レンズカバー９０は外形がレンズカバー９０の外形に略等しく、太陽光発電パネル２１が重なる部分を切り欠いた両面テープ９１によってハンドルコア部１０に貼り付けられる。
【００４２】
レンズカバー９０は、図７に示すように、左右中央部の前端部において、裏面側が表面側よりも突出した係止凸部９３が設けられている。この係止凸部９３はハンドルコア部１０の二股部１１の間に形成された凹部に係止する。また、レンズカバー９０は、左右中央部の後端部において、ハンドルコア部１０に装着された筒部７０の前端部の下方に重なって係止する外れ止め部９５が設けられている。外れ止め部９５は後端部にハンドルコア部１０の本体部１３の挿入部１３Ｂに設けられた凹部７に嵌り込む凸部９５Ａが設けられている。
【００４３】
このような構成を有する美容器は、電源部２０、レンズカバー９０、及び板金部材４０をハンドルコア部１０に取り付けた後、ハンドルコア部１０の後端部からハンドルコア部１０を筒部７０内に挿入してハンドルコア部１０と筒部とを組み付ける。このように、この美容器はハンドルコア部１０と筒部７０とを容易に組み付けることができる。また、この美容器は、筒状体である筒部７０を有しているので、繋ぎ目がなく、外観を良好にすることができる。さらに、この美容器は、ハンドルコア部１０が挿入される筒部７０によってハンドルコア部１０の一部分を覆うため、強度の向上が図られている。
【００４４】
したがって、実施例１の美容器は、容易に組み付けることができ、外観が良好である。
【００４５】
また、この美容器は、筒部７０にハンドルコア部１０を挿入すると、ハンドルコア部１０に取り付けられた板金部材４０に設けられた一対の係止部４５が筒部７０の内面に設けられた一対の凸部７１に係止する。これによって、筒部７０からハンドルコア部１０が抜け止めされる。また、レンズカバー９０の後端部に設けられた外れ止め部９５が筒部７０の前端部の下方に重なる。これによって、この美容器はレンズカバー９０がハンドルコア部１０から外れ止めされる。このように、この美容器は、筒部７０からハンドルコア部１０が抜け止めされた状態、及びハンドルコア部１０にレンズカバー９０を外れ止めした状態に容易に組み付けることができる。
【００４６】
また、この美容器は、一対の支持軸３０に一対のベアリング５７が組み込まれたベアリングホルダ５８を回転自在に取り付けた後、各回転体５０の外殻部５１の開口からベアリングホルダ５８が取り付けられた各支持軸３０を挿入して押し込む。すると、各ベアリングホルダ５８の爪部５８Ａが各回転体５０の下側コア部５５の係止部５５Ｂに係止し、ベアリングホルダ５８と共に各回転体５０が各支持軸３０周りに回転自在に支持される。
【００４７】
また、ハンドルコア部１０は、本体部１３の挿入部１３Ｂが、筒部７０の内部空間の略全体を占有する形態で筒部７０に挿入されている。これにより、挿入部１３Ｂが、筒形状をなす筒部７０の芯材として機能する。このため、ハンドル１００の強度の向上を図ることができる。また、ハンドルコア部１０の挿入が浅く、筒部７０内に空洞が形成されている場合と比較して、重心位置を把持される部位である筒部側に寄せることができ、持ちやすくなる。その結果、使用感の向上を図ることができる。
【００４８】
このようにして組み立てられた美容器は、図１３（Ａ）、（Ｂ）に示すように、ハンドル１００の筒部７０を把持して、顎から耳の下までの間や、唇の端から頬骨までの間等、顔の任意の箇所を往復移動するように回転体５０を回転させて使用することができる。また、図１４（Ａ）〜（Ｃ）に示すように、筒部７０を把持して、手の親指の付け根の根元から指先までの間や、手の親指と人差し指との谷間や、手のひらの小指側の側面部等、手の任意の箇所を往復移動するように回転体５０を回転させて使用することができる。
【００４９】
この美容器は、太陽光発電パネル２１の一方の電極、第１端子２４、通電軸３１、支持軸３０、ベアリング５７、ベアリングホルダ５８、及び一対の回転体５０が電気的に導通し、太陽光発電パネル２１の他方の電極、第２端子２７、通電用ねじＢ１、板金部材４０、及び筒部７０が電気的に導通している。このため、この美容器は、上述したように使用すると、筒部７０と回転体５０との間に身体を介在させた通電回路が形成され、回転体５０から微弱電流が皮膚へ流れ、皮膚への刺激の増進によりマッサージ効果等の美容効果を一層高めることができる。
【００５０】
本発明は上記記述及び図面によって説明した実施例１に限定されるものではなく、例えば次のような実施例も本発明の技術的範囲に含まれる。
（１）実施例１では、ハンドルコア部に取り付けられる板金部材に係止部を設け、この係止部に係止する被係止部を筒部に設けたが、係止部と被係止部が無くてもよい。
（２）実施例１では、筒部の被係止部に係止する係止部を板金部材に設けたが、板金部材とは別体にハンドルコア部に係止部を設けてもよい。
（３）実施例１では、ハンドルコア部が電源部を有していたが、電源部を有していなくてもよい。この場合、筒部及び一対の回転体が導電性を有し、電源部に電気的に導通する必要がなくなる。
（４）実施例１では、外装部材がレンズカバーであったが、ハンドルコア部の表面に取り付けられるものであれば、他の外装部材であってもよい。
（５）実施例１では、レンズカバーが外れ止め部を有していたが、外れ止め部を有していなくてもよい。
（６）実施例１では、２個の回転体がハンドルコア部の前端部に先広がり状に延びる一対の支持軸に回転自在に支持されていたが、ハンドルコア部の前端部に先広がり状に延びる一対の支持軸は二組以上設けられ、各支持軸に回転体を回転自在に支持してもよい。
（７）各部材の材質は実施例１で示したもの以外であってもよい。
（８）実施例１では、ハンドルコア部に固定した固定ねじの頭部が露出している辺りに接着剤を塗布する形態を例示したが、ハンドルコア部の挿入部全体に渡って接着剤を塗布する形態としてもよい。この場合、筒部とハンドルコア部とをより強固に固定できる。また、筒部とハンドルコア部の間の隙間に接着剤が充填されることでその分重量が増加するので、把持される部位である筒部側に美容器の重心位置を寄せることができ、持ちやすくなる。その結果、使用感の向上を図ることができる。
（９）実施例１では、ハンドルコア部の本体部の挿入部が、筒部の内部空間の略全体を占有するように筒部に挿入されている形態を例示したが、これに限定されない。ハンドルコア部は、筒部の芯材として機能する程度の長さが筒部に挿入されていればよい。ハンドルコア部は、筒部の長さの半分以上まで挿入されていることが好ましい。すなわち、ハンドルコア部が筒部の芯材として機能するためには、筒部の長手方向の長さの半分以上まで挿入されていることが好ましい。この場合、ハンドルコア部は、ハンドルを屈曲させるような力を作用させた際に、折れてしまったり、筒部が外れてしまったりすることなく芯材として機能し、筒部の強度を向上させることができる。
【符号の説明】
【００５１】
１００…ハンドル
１０…ハンドルコア部
３０…支持軸
５０…回転体
７０…筒部
４５…係止部
７１…凸部（被係止部）
２０…電源部
９５…外れ止め部
９０…レンズカバー（外装部材）
【図１】
2018082777.tif 000003
【図２】
2018082777.tif 000004
【図３】
2018082777.tif 000005
【図４】
2018082777.tif 000006
【図５】
2018082777.tif 000007
【図６】
2018082777.tif 000008
【図７】
2018082777.tif 000009
【図８】
2018082777.tif 000010
【図９】
2018082777.tif 000011
【図１０】
2018082777.tif 000012
【図１１】
2018082777.tif 000013
【図１２】
2018082777.tif 000014
【図１３】
2018082777.tif 000015
【図１４】
2018082777.tif 000016